(57)【要約】【課題】複数の画像の位置合わせを容易に行う。【解決手段】表示装置は、第１画像を表示する第１表示部と、第１画像内の領域のうち第１領域に対応する領域の鮮鋭度と、第１画像内の領域のうち第２領域に対応する領域の鮮鋭度とが相違する画像であって、第１画像に対応して表示される第２画像を表示する第２表示部とを備える。【選択図】図１
2014199289.tif 000002
【特許請求の範囲】
【請求項１】
第１画像を表示する第１表示部と、
前記第１画像内の領域のうち第１領域に対応する領域の鮮鋭度と、前記第１画像内の領域のうち第２領域に対応する領域の鮮鋭度とが相違する画像であって、前記第１画像に対応して表示される第２画像を表示する第２表示部と
を備えることを特徴とする表示装置。
【請求項２】
前記第２表示部は、前記第２画像を前記第１画像とは異なる奥行き位置に表示する
ことを特徴とする請求項１に記載の表示装置。
【請求項３】
前記第２表示部は、観察者に対して、前記第２画像の前記第１領域に対応する領域と前記第１画像の前記第１領域とが重畳するように表示する
ことを特徴とする請求項１または請求項２に記載の表示装置。
【請求項４】
前記第１画像に関する情報に基づいて、前記第２画像の鮮鋭度を補正する補正部と
をさらに備えることを特徴とする請求項１から請求項３のいずれか一項に記載の表示装置。
【請求項５】
前記第１画像に関する情報は、前記第１画像の中心からの距離を示す情報であり、
前記補正部は、
前記第１表示部が表示する前記第１画像の中心からの距離に基づいて、前記第２画像の鮮鋭度を補正する
ことを特徴とする請求項４に記載の表示装置。
【請求項６】
前記第１画像に関する情報は、前記第１画像内の着目点からの距離を示す情報であり、
前記補正部は、
前記第１表示部が表示する前記第１画像内の前記着目点からの距離に基づいて、前記第２画像の鮮鋭度を補正する
ことを特徴とする請求項４または請求項５に記載の表示装置。
【請求項７】
前記第１画像に関する情報は、前記第２画像によって生じる前記第１画像の立体像の奥行き位置を示す情報であり、
前記補正部は、
前記第２画像によって生じる前記第１画像の立体像の奥行き位置に基づいて、前記第２画像の鮮鋭度を補正する
ことを特徴とする請求項４から請求項６のいずれか一項に記載の表示装置。
【請求項８】
前記第１画像に関する情報は、前記第１画像の空間周波数の分布を示す情報であり、
前記補正部は、
前記第１画像の空間周波数の分布に基づいて、前記第２画像の鮮鋭度を補正する
ことを特徴とする請求項４から請求項７のいずれか一項に記載の表示装置。
【請求項９】
前記第１画像に関する情報は、前記第１画像内の明るさの分布を示す情報であり、
前記補正部は、
前記第１画像内の明るさの分布に基づいて、前記第２画像の鮮鋭度を補正する
ことを特徴とする請求項４から請求項８のいずれか一項に記載の表示装置。
【請求項１０】
前記第１画像に関する情報は、前記第２画像によって生じる前記第１画像の立体像の奥行き位置の変化の程度を示す情報であり、
前記補正部は、
前記第２画像によって生じる前記第１画像の立体像の奥行き位置の変化の程度に基づいて、前記第２画像の鮮鋭度を補正する
ことを特徴とする請求項４から請求項９のいずれか一項に記載の表示装置。
【請求項１１】
前記第２表示部は、前記第２画像を前記第１画像に対応して表示することにより立体感を付与する
ことを特徴とする請求項１から請求項１０のいずれか一項に記載の表示装置。
【請求項１２】
表示装置が備えるコンピュータに、
第１画像を表示する第１表示ステップと、
前記第１画像内の領域のうち第１領域に対応する領域の鮮鋭度と、前記第１画像内の領域のうち第２領域に対応する領域の鮮鋭度とが相違する画像であって、前記第１画像に対応して表示される第２画像を表示する第２表示ステップと、
を実行させるためのプログラム。
【発明の詳細な説明】
【技術分野】
【０００１】
本発明は、表示装置及びプログラムに関する。
【背景技術】
【０００２】
近年、３次元画像の奥行き位置に応じて輝度比を付けた二つの画像を、奥行き位置の異なる手前の表示面と奥の表示面とに表示して両眼視差を生じさせることにより、ユーザに立体感を知覚させる表示方法が知られている（例えば、特許文献１を参照）。
【先行技術文献】
【特許文献】
【０００３】
【特許文献１】特許第３４６４６３３号公報
【発明の概要】
【発明が解決しようとする課題】
【０００４】
しかしながら、上記のような表示方法においては、複数の画像を重ね合わせて表示するため、画像の位置合わせを精度よく行う必要があった。
【０００５】
本発明は、上記問題を解決すべくなされたもので、その目的は、複数の画像の位置合わせを容易に行うことができる表示装置を提供することにある。
【課題を解決するための手段】
【０００６】
本発明の一実施形態は、第１画像を表示する第１表示部と、前記第１画像内の領域のうち第１領域に対応する領域の鮮鋭度と、前記第１画像内の領域のうち第２領域に対応する領域の鮮鋭度とが相違する画像であって、前記第１画像に対応して表示される第２画像を表示する第２表示部とを備えることを特徴とする表示装置である。
【０００７】
また、本発明の一実施形態は、表示装置が備えるコンピュータに、第１画像を表示する第１表示ステップと、前記第１画像内の領域のうち第１領域に対応する領域の鮮鋭度と、前記第１画像内の領域のうち第２領域に対応する領域の鮮鋭度とが相違する画像であって、前記第１画像に対応して表示される第２画像を表示する第２表示ステップとを実行させるためのプログラムである。
【発明の効果】
【０００８】
この発明によれば、複数の画像を重ね合わせるための演算量を低減することができる。
【図面の簡単な説明】
【０００９】
【図１】本発明の実施形態における表示装置の構成の概要の一例を示す概要図である。
【図２】第１画像と第２画像とによって生じる立体像の奥行き位置の一例を示す模式図である。
【図３】本実施形態の表示装置が表示する画像の一例を示す模式図である。
【図４】本実施形態の輪郭補正部が補正するエッジ画像の一例を示す模式図である。
【図５】本実施形態の表示装置の具体的な構成の一例を示す模式図である。
【図６】本実施形態の輪郭補正部が中心からの距離に基づいて補正するエッジ画像の一例を示す模式図である。
【図７】本実施形態の第１画像の一例を示す模式図である。
【図８】本実施形態の第２画像の一例を示す模式図である。
【図９】本実施形態における第１画像と第２画像と視点位置との位置関係の一例を示す模式図である。
【図１０】本実施形態における観察者の眼に見える光学像の一例を示す模式図である。
【図１１】本実施形態の視点位置における光学像の明るさの一例を示すグラフである。
【図１２】本実施形態における観察者が光学像に基づいて知覚する第１画像の輪郭部の一例を示すグラフである。
【図１３】本実施形態の表示装置における画素値の補正動作の一例を示すフローチャートである。
【図１４】本実施形態の第１画像の単位領域ごとの空間周波数の出現頻度の一例を示すグラフである。
【発明を実施するための形態】
【００１０】
以下、図面を参照して、本発明の実施形態を説明する。
図１は、本発明の実施形態における表示装置１００の構成の概要の一例を示す概要図である。以下、各図の説明においてはＸＹＺ直交座標系を設定し、このＸＹＺ直交座標系を参照しつつ各部の位置関係について説明する。表示装置１００が画像を表示している方向をＺ軸の正の方向とし、当該Ｚ軸方向に垂直な平面上の直交方向をそれぞれＸ軸方向及びＹ軸方向とする。ここでは、Ｘ軸方向は、表示装置１００の水平方向とし、Ｙ軸方向は表示装置１００の鉛直上方向とする。以下、この表示装置１００の構成の概要について説明する。
【００１１】
本実施形態の表示装置１００は、表示部１０としての第１表示部１１と、第２表示部１２とを備えている。第１表示部１１は、奥行き位置Ｚ１に画像を表示する第１表示面１１Ｓを備えている。第２表示部１２は、奥行き位置Ｚ２に画像を表示する第２表示面１２Ｓを備えている。ユーザ１（以下の説明において、観察者ともいう。）は、奥行き位置ＺＶＰに予め定められている視点位置ＶＰから、この第１表示面１１Ｓと、第２表示面１２Ｓとを見る。この第１表示面１１Ｓおよび第２表示面１２Ｓとは、例えば、液晶ディスプレイや液晶プロジェクタなどのスクリーン、もしくはヘッドマウントディスプレイのような装着して視聴できるような表示面である。このうち、第１表示面１１Ｓは、透過型のスクリーンであるため、ユーザ１が視点位置ＶＰから第１表示面１１Ｓ見た場合に、第１表示面１１Ｓが表示する画像と、第２表示面１２Ｓが表示する画像とが重なるように見える。表示装置１００は、この第１表示面１１Ｓに表示する画像と第２表示面１２Ｓに表示する画像とを重ねて表示することによって、第１表示面１１Ｓに表示する表示対象ＯＢＪに立体感を与える。以下、この表示装置１００が表示対象ＯＢＪに立体感を与える仕組みの概要について説明する。
【００１２】
ここでは、一例として、表示対象ＯＢＪが、図１に示す四角形である場合について説明する。第１表示面１１Ｓは、表示対象ＯＢＪとしての四角形の画像と、表示対象ＯＢＪ（ここでは、四角形）の背景を示す背景画像ＢＧＰとを含む画像Ｐ１１（第１画像）を表示する。ここで、背景画像ＢＧＰとは、表示対象ＯＢＪの輪郭部の画素値と、この輪郭部の近傍の（例えば、この輪郭部に接する）背景画像ＢＧＰの画素値とが相違している画像である。すなわち、背景画像ＢＧＰとは、ユーザ１が表示対象ＯＢＪの画像と当該背景画像ＢＧＰとを見た場合に、表示対象ＯＢＪの画像と当該背景画像ＢＧＰとを区別することが可能な画像である。この背景画像ＢＧＰの具体例については後述する。
【００１３】
第２表示面１２Ｓは、表示対象ＯＢＪの輪郭部を示すエッジ画像ＰＥ（輪郭画像）を含む画像Ｐ１２を表示する。この第２表示面１２Ｓは、ユーザ１が視点位置ＶＰから第１表示面１１Ｓと第２表示面１２Ｓとを重ねて見た場合に、エッジ画像ＰＥが示す四角形の各辺と、第１表示面１１Ｓが表示する画像Ｐ１１が示す四角形の各辺とが重なるようにして、エッジ画像ＰＥを表示する。例えば、第２表示面１２Ｓは、第１表示面１１Ｓが表示する四角形の左上の頂点の位置Ｐｔ１と、エッジ画像ＰＥの左上の頂点の位置Ｐｔ２とが、視点位置ＶＰから見た場合に重なるように、エッジ画像ＰＥを表示する。ここで、左上の頂点とは、各表示面上において、Ｘ座標が最も小さく、Ｙ座標が最も大きい位置にある頂点である。
【００１４】
なお、第２表示面１２Ｓが表示する画像Ｐ１２は、エッジ画像ＰＥだけでなく表示対象ＯＢＪをそのまま示す画像を含んでいてもよく、また表示対象ＯＢＪの輪郭部（エッジ部分）を強調して示す画像を含んでいてもよい。また、このエッジ画像ＰＥとは、表示対象ＯＢＪを表示する画素値の周波数成分のうち、高周波部分の画像であってもよい。以下、画像Ｐ１２が、エッジ画像ＰＥのみを含む場合について説明する。
【００１５】
ユーザ１が、視点位置ＶＰから画像Ｐ１１と画像Ｐ１２とを重ねて見ると、ユーザ１の左眼Ｌと右眼Ｒとの間において、四角形の各辺の重なりかたに差が生じる。すなわち、ユーザ１が、視点位置ＶＰから奥行き位置が相違する画像Ｐ１１と画像Ｐ１２とを重ねて見ると、両眼視差が生じる。この両眼視差によって、ユーザ１は、四角形の立体像を知覚する。
【００１６】
なお、ここでは第１表示面１１Ｓが、透過型スクリーンであって、視点位置ＶＰから見て第２表示面１２Ｓよりも奥行き位置の手前側（＋Ｚ側）に位置するとして説明したが、これに限られない。例えば、第２表示面１２Ｓが、透過型スクリーンであって、視点位置ＶＰから見て第１表示面１１Ｓよりも奥行き位置の手前側（＋Ｚ側）に位置していてもよい。以下の説明においても、同様に第１表示面１１Ｓの奥行き位置と、第２表示面１２Ｓの奥行き位置とが入れ替わっていてもよい。次に、図２を参照して、ユーザ１が知覚する立体像の奥行き位置について説明する。
【００１７】
図２は、画像Ｐ１１（第１画像）と画像Ｐ１２（第２画像）とによって生じる立体像ＳＩの奥行き位置の一例を示す模式図である。上述したように、第１表示面１１Ｓは、奥行き位置Ｚ１に画像Ｐ１１を表示する。この第１表示面１１Ｓは、画像Ｐ１１に基づく第１光束Ｒ１１を発する。第１表示面１１Ｓから発せられた第１光束Ｒ１１は、視点位置ＶＰにいる観察者に画像Ｐ１１の光学像として観察される。同様に、第２表示面１２Ｓは、奥行き位置Ｚ２に画像Ｐ１２を表示する。この第２表示面１２Ｓは、画像Ｐ１２に基づく第２光束Ｒ１２を発する。第２表示面１２Ｓから発せられた第２光束Ｒ１２は、視点位置ＶＰにいる観察者に画像Ｐ１２の光学像として観察される。観察者は、視点位置ＶＰにおいて、第１光束Ｒ１１と第２光束Ｒ１２とを同時に観察することにより、表示対象が立体表示された立体像ＳＩを認識する。この観察者が立体像ＳＩを認識する仕組みについては、後述する。
【００１８】
ここで、立体像ＳＩの奥行き位置とは、観察者が認識する立体像ＳＩのＺ軸方向（奥行き方向）の位置である。具体的には、立体像ＳＩの奥行き位置は、第２表示面１２Ｓの奥行き位置を基準にしたＺ方向の距離によって示される。例えば、第１表示面１１Ｓと第２表示面１２Ｓとの間のＺ軸方向の距離が距離Ｌである場合、立体像ＳＩの奥行き位置は、第２表示面１２Ｓの奥行き位置Ｚ２を距離Ｌａ＝０とし、第１表示面１１Ｓの奥行き位置Ｚ１を距離Ｌａ＝Ｌとした距離Ｌａによって示される。
【００１９】
この立体像ＳＩの奥行き位置は、第２表示面１２Ｓが表示するエッジ画像ＰＥの画素値（例えば、明るさ）に依存する。例えば、第２表示面１２Ｓが表示するエッジ画像ＰＥの明るさをより明るくすると、立体像ＳＩの奥行き位置は、距離Ｌａ＝０（すなわち、第２表示面１２Ｓ）に近づく。逆に、第２表示面１２Ｓが表示するエッジ画像ＰＥの明るさをより暗くすれば、立体像ＳＩの奥行き位置は、距離Ｌａ＝Ｌ（すなわち、第１表示面１１Ｓ）に近づく。このように、立体像ＳＩの奥行き位置は、エッジ画像ＰＥの明るさに応じて、距離Ｌａ＝０〜Ｌの間において変化する。
【００２０】
具体的には、表示装置１００は、図５を参照して後述するように輪郭補正部１３を備えている。この輪郭補正部１３は、表示対象ＯＢＪと背景画像ＢＧＰとの境界部分にある画素の画素値に基づいて、エッジ画像ＰＥの画素値を補正（算出）する。この輪郭補正部１３が、エッジ画像ＰＥの画素値を補正する仕組みについて、図３および図４を参照して説明する。
【００２１】
図３は、本実施形態の表示装置１００が表示する画像の一例を示す模式図である。図３（ａ）は、第１表示面１１Ｓが表示する画像Ｐ１１の一例を示す模式図である。具体的には、第１表示面１１Ｓは、表示対象ＯＢＪとしての人物の画像と、背景画像ＢＧＰとしての空、地面および山の風景の画像を表示する。この背景画像ＢＧＰには、空を示す背景画像ＢＧＰ１と、山を示す背景画像ＢＧＰ２および背景画像ＢＧＰ３と、地面を示す背景画像ＢＧＰ４および背景画像ＢＧＰ５とが含まれる。この例において、図３（ａ）に示す表示対象ＯＢＪ（この例においては、人物の画像）に対してエッジ画像ＰＥを重ねて表示することにより、この表示対象ＯＢＪを立体的に表示する場合について説明する。
【００２２】
図３（ｂ）は、第１表示面１１Ｓの画素のうち、表示対象ＯＢＪの画像と、山を示す背景画像ＢＧＰ３との境界部分の画素の一例を示す模式図である。具体的には、第１表示面１１Ｓが備える複数の画素Ｐｘのうち、画素Ｐｘ１と画素Ｐｘ２とが表示対象ＯＢＪの画像を表示する。このうち、画素Ｐｘ２が表示対象ＯＢＪの輪郭部の画像を表示する。また、画素Ｐｘ３が山を示す背景画像ＢＧＰ３を表示する。
【００２３】
表示対象ＯＢＪを立体的に表示する場合、第２表示面１２Ｓは、図３（ｃ）に示すように、表示対象ＯＢＪの輪郭部を示すエッジ画像ＰＥを表示する。図３（ｃ）は、第２表示面１２Ｓが表示する画像Ｐ１２の一例を示す模式図である。この例においては、第２表示面１２Ｓは、表示対象ＯＢＪとしての人物の画像のエッジ画像ＰＥを表示する。
【００２４】
図３（ｄ）は、第２表示面１２Ｓの画素のうち、表示対象ＯＢＪの輪郭部を示すエッジ画像ＰＥを表示する画素の一例を示す模式図である。図５を参照して後述するように、第２表示部１２には、画像情報供給装置２から輪郭補正部１３を介して画像情報Ｄ１２が供給される。この画像情報Ｄ１２とは、表示対象ＯＢＪの輪郭部を示すエッジ画像ＰＥを表示するための画像情報である。画像情報供給装置２は、この図３（ｄ）に示すような１画素ぶんの幅を有するエッジ画像ＰＥを含む画像情報Ｄ１２を表示装置１００に供給する。したがって、輪郭補正部１３がエッジ画像ＰＥを補正しない場合には、第２表示面１２Ｓには、すべての画像領域において１画素ぶんの幅を有するエッジ画像ＰＥが表示される。
【００２５】
このエッジ画像ＰＥの幅は、表示対象ＯＢＪの輪郭部と、この表示対象ＯＢＪの輪郭部を示すエッジ画像ＰＥとを重ねて表示する際の位置合わせに求められる精度に影響する。具体的には、エッジ画像ＰＥの幅が広い場合には、表示対象ＯＢＪの輪郭部の位置と、この表示対象ＯＢＪの輪郭部を示すエッジ画像ＰＥの位置とが重なる範囲が広いため、多少ずれて表示されたとしても立体感が損なわれにくい。例えば、エッジ画像ＰＥの幅が５画素ぶんの場合には、表示対象ＯＢＪの輪郭部の位置と、この表示対象ＯＢＪの輪郭部を示すエッジ画像ＰＥの位置とが４画素ぶんずれたとしても、立体感が損なわれない。一方、エッジ画像ＰＥの幅が狭い場合には、表示対象ＯＢＪの輪郭部の位置と、この表示対象ＯＢＪの輪郭部を示すエッジ画像ＰＥの位置とが重なる範囲が狭いため、ずれて表示された場合に立体感が損なわれやすい。例えば、エッジ画像ＰＥの幅が１画素ぶんの場合には、表示対象ＯＢＪの輪郭部の位置と、この表示対象ＯＢＪの輪郭部を示すエッジ画像ＰＥの位置とが１画素ぶんずれただけで、立体感が損なわれることがある。すなわち、エッジ画像ＰＥの幅が広い画像領域においては、表示対象ＯＢＪの輪郭部の位置と、この表示対象ＯＢＪの輪郭部を示すエッジ画像ＰＥの位置との位置合わせが容易になる。
【００２６】
そこで、輪郭補正部１３は、エッジ画像ＰＥの各画像領域に応じてエッジ画像ＰＥの鮮鋭度（例えば、エッジ画像ＰＥの幅）を補正する。すなわち、輪郭補正部１３は、この第２表示面１２Ｓが表示する画像Ｐ１２のうち第１の画像領域に表示されるエッジ画像ＰＥの鮮鋭度と第２の画像領域に表示されるエッジ画像ＰＥの鮮鋭度とが相違するように、エッジ画像ＰＥの鮮鋭度を補正する。
【００２７】
次に、図４を参照して、輪郭補正部１３が補正するエッジ画像ＰＥの一例について説明する。
図４は、本実施形態の輪郭補正部１３が補正するエッジ画像ＰＥの一例を示す模式図である。輪郭補正部１３は、この図４（ａ）に示す１画素分の幅を有するエッジ画像ＰＥを、図４（ｂ）〜（ｃ）に示すエッジ画像ＰＥ’、エッジ画像ＰＥ’’、またはエッジ画像ＰＥ’’’に補正する。具体的には、輪郭補正部１３には、１画素分の幅を有するエッジ画像ＰＥを示す画像情報が入力される。輪郭補正部１３は、入力された画像情報が示すエッジ画像ＰＥの幅を広げる補正を行うことにより、複数画素分の幅を有するエッジ画像ＰＥ’（図４（ｂ）を参照。）を生成する。また、輪郭補正部１３は、入力された画像情報が示すエッジ画像ＰＥの幅を広げ、かつエッジ画像ＰＥに濃淡のグラデーションを付加する補正を行うことにより、エッジ画像ＰＥ’’（図４（ｃ）を参照。）を生成する。また、輪郭補正部１３は、入力された画像情報が示すエッジ画像ＰＥの幅を表示対象ＯＢＪの輪郭部よりも外側に広げ、かつエッジ画像ＰＥに濃淡のグラデーションを付加する補正を行うことにより、エッジ画像ＰＥ’’’（図４（ｄ）を参照。）を生成する。ここで、エッジ画像ＰＥの幅が広いとエッジ画像ＰＥの鮮鋭度が低く、エッジ画像ＰＥの幅が狭いとエッジ画像ＰＥの鮮鋭度は高くなる。すなわち、輪郭補正部１３は、画像Ｐ１２に含まれるエッジ画像ＰＥの鮮鋭度を補正する。
【００２８】
また、輪郭補正部１３は、上述のようにして生成したエッジ画像ＰＥ’（または、エッジ画像ＰＥ’’、エッジ画像ＰＥ’’’）を示す画像情報を第２表示部１２に出力する。これにより、第２表示部１２は、補正されたエッジ画像ＰＥ’（または、エッジ画像ＰＥ’’、エッジ画像ＰＥ’’’）を表示する。次に、図５を参照して、表示装置１００の具体的な構成について説明する。
【００２９】
図５は、本実施形態の表示装置１００の具体的な構成の一例を示す模式図である。表示装置１００は、第１表示部１１と、第２表示部１２と、輪郭補正部１３とを備えている。表示装置１００は、画像情報供給装置２が供給する画像情報に基づく画像を表示する。
【００３０】
画像情報供給装置２は、第１表示部１１に画像情報Ｄ１１を供給する。第１表示部１１は、第１表示面１１Ｓを備えており、画像情報供給装置２から供給される画像情報Ｄ１１を画像Ｐ１１に変換して第１表示面１１Ｓに表示する。この画像情報Ｄ１１とは、例えば、表示対象ＯＢＪの画像と、背景画像ＢＧＰとを表示するための画像情報である。第１表示部１１は、第１表示面１１Ｓに画像Ｐ１１を表示することにより、第１光束Ｒ１１をユーザ１に対して射出する。すなわち、第１表示部１１は、複数の画素を備え、表示対象ＯＢＪの画像を少なくとも含む画像Ｐ１１（第１画像）を表示する。
【００３１】
また、画像情報供給装置２は、画像情報Ｄ１１を算出部１４および輪郭補正部１３に供給する。また、画像情報供給装置２は、画像情報Ｄ１２を輪郭補正部１３に供給する。
【００３２】
輪郭補正部１３は、供給された画像情報Ｄ１１と、画像情報Ｄ１１とに基づいて画像情報Ｄ１２を補正し、補正した画像情報Ｄ１２を補正画像情報Ｄ１２Ｃとして第２表示部１２に供給する。この画像情報Ｄ１２とは、例えば、表示対象ＯＢＪの輪郭部を示す補正前のエッジ画像ＰＥの画像情報である。また、補正画像情報Ｄ１２Ｃとは、輪郭補正部１３が画像情報Ｄ１２を補正した、補正後のエッジ画像ＰＥの画像情報である。
【００３３】
第２表示部１２は、第２表示面１２Ｓを備えており、輪郭補正部１３から供給される補正画像情報Ｄ１２Ｃを画像Ｐ１２に変換して第２表示面１２Ｓ表示する。第２表示部１２は、この第２表示面１２Ｓに画像Ｐ１２を表示することにより、第２光束Ｒ１２をユーザ１に対して射出する。この第２光束Ｒ１２は、透過型スクリーンである第１表示面１１Ｓを透過して、ユーザ１に到達する。すなわち、第２表示部１２は、複数の画素を備え、画像Ｐ１１が表示される奥行き位置とは異なる奥行き位置に、表示対象ＯＢＪの輪郭部を示すエッジ画像ＰＥ（輪郭画像）を少なくとも含む画像Ｐ１２を表示する。
【００３４】
以下、輪郭補正部１３がエッジ画像ＰＥを補正する具体例について説明する。
この輪郭補正部１３は、画像Ｐ１１に関する情報に基づいて、エッジ画像ＰＥの鮮鋭度を補正する。以下、輪郭補正部１３がエッジ画像ＰＥの鮮鋭度を補正する具体例について説明する。
【００３５】
ここで、エッジ画像ＰＥの鮮鋭度とは、例えば、エッジ画像ＰＥの幅である。ここで、エッジ画像ＰＥの幅が細い場合には、エッジ画像ＰＥの幅が太い場合に比べてエッジ画像ＰＥが画像Ｐ１１と重なる範囲が小さいことから、エッジ画像ＰＥが目立ちにくくなる。このため、エッジ画像ＰＥの幅が細い場合には、エッジ画像ＰＥの幅が太い場合に比べて画像Ｐ１１の精細感を損なう程度が小さくなる。すなわち、エッジ画像ＰＥの幅が細いほうが、画像Ｐ１１の精細感を損なわないようにすることができる。一方で、エッジ画像ＰＥの幅が細い場合には、エッジ画像ＰＥの幅が太い場合に比べてエッジ画像ＰＥが画像Ｐ１１と重なる範囲が小さい。このため、エッジ画像ＰＥの幅が細い場合には、エッジ画像ＰＥの表示位置が少しでもずれると、画像Ｐ１１とエッジ画像ＰＥとが分離してしまい立体感が得られなくなることがある。したがって、エッジ画像ＰＥの幅が細い場合には、画像Ｐ１１に重ねるための表示位置の精度を高くすることが求められる。すなわち、エッジ画像ＰＥの幅が細い場合には、エッジ画像ＰＥの表示位置の演算量が多くなることがある。したがって、画像Ｐ１１の精細感が要求されない部分について、エッジ画像ＰＥの幅を太くすることにより、エッジ画像ＰＥの表示位置の演算量を低減することができる。
【００３６】
ここで、画像Ｐ１１の精細感が要求されない部分の一例として、画像Ｐ１１の周辺部分がある。この場合には、輪郭補正部１３は、画像Ｐ１１の中心部分と、周辺部分とについてそれぞれエッジ画像ＰＥの幅が相違するようにエッジ画像ＰＥを補正する。この具体例について、以下説明する。
【００３７】
一例として、画像Ｐ１１に関する情報が、第１表示部１１が表示する画像Ｐ１１の中心からの距離を示す情報である場合について説明する。この場合、輪郭補正部１３は、第１表示部１１が表示する画像Ｐ１１の中心からの距離に基づいて、画像Ｐ１２の鮮鋭度を補正する。ここでの画像Ｐ１１に関する情報とは、第１表示部１１の第１表示面１１Ｓの中心から外周部分に向かって画像Ｐ１１に重み付けをする重み付け情報である。この第１表示面１１Ｓの中心とは、第１表示面１１ＳのＸ軸方向の中点と、Ｙ軸方向の中点との交点である。例えば、重み付け情報とは、第１表示面１１Ｓの中心を重み０に、第１表示面１１Ｓの頂点を重み１にして同心円状に正規化された重み付けを示す情報である。この輪郭補正部１３が、画像Ｐ１１の中心からの距離に基づいてエッジ画像ＰＥを補正する具体例について、図６を参照して説明する。
【００３８】
図６は、本実施形態の輪郭補正部１３が中心からの距離に基づいて補正するエッジ画像の一例を示す模式図である。輪郭補正部１３は、画像情報供給装置２から供給される画像情報Ｄ１１に基づいて、第１表示部１１が表示する画像Ｐ１１の中心の座標を算出する。また、輪郭補正部１３は、画像情報供給装置２から供給される画像情報Ｄ１２に基づいて、第１表示部１１が表示する画像Ｐ１１の中心の座標に対応する画像Ｐ１２の中心ＰＯの座標を算出する。また、輪郭補正部１３は、画像情報Ｄ１２に含まれるエッジ画像ＰＥを構成する各画素ＰｘＰＥについて、第２表示面１２Ｓにおける座標を算出する。
【００３９】
そして、輪郭補正部１３は、算出した画像Ｐ１２の中心ＰＯの座標と、算出したエッジ画像ＰＥを構成する各画素ＰｘＰＥの座標とに基づいて、エッジ画像ＰＥを構成する各画素ＰｘＰＥと中心ＰＯとの距離を算出する。より具体的には、輪郭補正部１３は、エッジ画像ＰＥを構成する画素ＰｘＰＥ１と中心ＰＯとの距離Ｌ１を算出する。また、輪郭補正部１３は、エッジ画像ＰＥを構成する画素ＰｘＰＥ２と中心ＰＯとの距離Ｌ２を算出する。また、輪郭補正部１３は、エッジ画像ＰＥを構成する画素ＰｘＰＥ３と中心ＰＯとの距離Ｌ３を算出する。この例においては、距離Ｌ１＜距離Ｌ２＜距離Ｌ３である。
【００４０】
また、輪郭補正部１３は、算出した距離Ｌ１〜Ｌ３と、上述の重み付け情報とに基づいて、エッジ画像ＰＥの幅を補正する。具体的には、輪郭補正部１３は、距離Ｌ１にあるエッジ画像ＰＥの幅を１画素ぶんする補正を行う。なお、画像情報Ｄ１２に含まれる補正前のエッジ画像ＰＥの幅が１画素ぶんであるため、距離Ｌ１にあるエッジ画像ＰＥについては、輪郭補正部１３は補正を行わない。また、輪郭補正部１３は、距離Ｌ２にあるエッジ画像ＰＥの幅を２画素ぶんに補正して、補正後のエッジ画像ＰＥ’２を生成する。また、輪郭補正部１３は、距離Ｌ３にあるエッジ画像ＰＥの幅を３画素ぶんに補正して、補正後のエッジ画像ＰＥ’３を生成する。
【００４１】
すなわち、輪郭補正部１３は、この画像Ｐ１１に関する重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、第２表示面１２Ｓの外周部のエッジ画像ＰＥの幅が、第２表示面１２Ｓの中心部のエッジ画像ＰＥの幅よりも広く補正された、補正後のエッジ画像ＰＥを表示する。すなわち、第２表示部１２は、第２表示面１２Ｓの中心部から外周部に向かって徐々に幅が広くなるように補正された補正後のエッジ画像ＰＥを表示する。このようにして表示装置１００は、エッジ画像ＰＥを補正して、エッジ画像ＰＥの幅を太くすることにより、画像Ｐ１１とエッジ画像ＰＥとの位置合わせのための演算量を低減することができる。
【００４２】
また、この重み付けは、人間の眼の解像度にあわせて行ってもよい。画像Ｐ１１の中心を視野中心にして、画像Ｐ１１の中心から距離が離れるに従って、周辺視野にあわせた重み付けをおこなってもよい。すなわち、輪郭補正部１３は、周辺視野にあわせて中心部から外周部に向かって徐々に幅が広くなるようにエッジ画像ＰＥを補正してもよい。
【００４３】
また、この重み付けは、画像Ｐ１１の画像領域ごとに分割して行ってもよい。ここで、画像領域とは、例えば、表示面１１Ｓを格子状に区切った領域や、画像Ｐ１１に複数の表示対象ＯＢＪが含まれる場合に、表示対象ＯＢＪごとに区切った領域である。すなわち、輪郭補正部１３は、画像Ｐ１１の中心からの距離が近い画像領域には、画像領域内において一定の小さな重み付け（例えば０．２）を行い、画像Ｐ１１の中心からの距離が近い画像領域には、画像領域内において一定の大きな重み付け（例えば０．７）を行ってもよい。
【００４４】
なお、画像Ｐ１１の中心部分よりも周辺部分について精細感が要求される場合には、輪郭補正部１３は、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００４５】
また、画像Ｐ１１の精細感が要求されない部分の一例として、画像Ｐ１１の着目点から離れた部分がある。この場合には、輪郭補正部１３は、画像Ｐ１１の着目点と、着目点から離れた部分とについてそれぞれエッジ画像ＰＥの幅が相違するようにエッジ画像ＰＥを補正する。以下、画像Ｐ１１に関する情報が、画像Ｐ１１内の着目点からの距離を示す情報である場合について説明する。
【００４６】
ここで、画像Ｐ１１内の着目点とは、観察者１が画像Ｐ１１を見た場合に着目する位置である。この着目点の一例として、画像Ｐ１１に含まれる表示対象ＯＢＪの中心部分や、画像Ｐ１１のうちの動きがある部分、画像Ｐ１１のうちの目立つ色が付された部分などがある。この場合、輪郭補正部１３は、第１表示部１１が表示する画像Ｐ１１内の着目点からの距離に基づいて、画像Ｐ１２の鮮鋭度を補正する。具体的には、輪郭補正部１３は、画像Ｐ１１内の着目点を検出し、検出した着目点を中心にした重み付け情報を生成する。この重み付け情報とは、着目点を重み０に、着目点から最も離れた第１表示面１１Ｓ内の点を重み１にして同心円状に正規化された重み付けを示す情報である。また、輪郭補正部１３は、生成した重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、着目点から離れた位置のエッジ画像ＰＥの幅が、着目点に近い位置のエッジ画像ＰＥの幅よりも広く補正された、補正後のエッジ画像ＰＥを表示する。すなわち、第２表示部１２は、着目点から離れるにしたがって徐々に幅が広くなるように補正された補正後のエッジ画像ＰＥを表示する。
【００４７】
なお、画像Ｐ１１の着目点よりも着目点から離れた部分について精細感が要求される場合には、輪郭補正部１３は、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００４８】
また、画像Ｐ１１の精細感が要求されない部分の一例として、画像Ｐ１１の立体像のうち、奥に表示される部分がある。この場合には、輪郭補正部１３は、画像Ｐ１１の立体像のうち、手前に表示される部分と、奥に表示される部分とについてそれぞれエッジ画像ＰＥの幅が相違するようにエッジ画像ＰＥを補正する。以下、輪郭補正部１３が、画像Ｐ１１の立体像のデプスマップに基づいて画像Ｐ１２の鮮鋭度を補正する場合について説明する。すなわち、画像Ｐ１１に関する情報が、画像Ｐ１２によって生じる画像Ｐ１１の立体像の奥行き位置を示す情報である場合について説明する。
【００４９】
この画像Ｐ１２によって生じる画像Ｐ１１の立体像の奥行き位置を示す情報とは、画像Ｐ１１の立体像のデプスマップである。また、このデプスマップとは、画像Ｐ１１に含まれる表示対象ＯＢＪの立体像が生じるＺ軸方向の位置を示す情報である。このデプスマップは、輪郭補正部１３に供給される画像情報Ｄ１２に含まれている。輪郭補正部１３は、画像情報Ｄ１２に含まれているデプスマップに基づいて、画像Ｐ１２の鮮鋭度を補正する。具体的には、輪郭補正部１３は、供給される画像情報Ｄ１２からデプスマップを抽出し、抽出したデプスマップに基づいて、重み付け情報を生成する。この重み付け情報とは、距離Ｌａ（図２を参照。）に基づく重み付けを示す情報である。例えば、重み付け情報とは、デプスマップが示す立体像の奥行き位置が、距離Ｌａ＝０である場合を重み１に、距離Ｌａ＝Ｌである場合を重み０に正規化された重み付けを示す情報である。また、輪郭補正部１３は、生成した重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、表示対象ＯＢＪの立体像について、奥の位置に立体像を表示するためのエッジ画像ＰＥの幅が、手前の位置に立体像を表示する為のエッジ画像ＰＥの幅よりも広く補正された、補正後のエッジ画像ＰＥを表示する。すなわち、第２表示部１２は、表示対象ＯＢＪの立体像の奥行き位置について、手前から奥に向かって徐々に幅が広くなるように補正された補正後のエッジ画像ＰＥを表示する。
【００５０】
なお、画像Ｐ１１の立体像の手前に表示される部分よりも奥に表示される部分について精細感が要求される場合には、輪郭補正部１３は、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００５１】
また、画像Ｐ１１の精細感が要求されない部分の一例として、画像Ｐ１１の空間周波数が低い部分がある。この場合には、輪郭補正部１３は、画像Ｐ１１のうち、空間周波数が高い部分と、空間周波数が低い部分とについてそれぞれエッジ画像ＰＥの幅が相違するようにエッジ画像ＰＥを補正する。以下、輪郭補正部１３が、画像Ｐ１１の空間周波数の分布に基づいて画像Ｐ１２の鮮鋭度を補正する場合について説明する。すなわち、画像Ｐ１１に関する情報が、画像Ｐ１１の空間周波数の分布を示す情報である場合について説明する。
【００５２】
この場合、輪郭補正部１３は、供給される画像Ｐ１１についての空間周波数の分布を算出し、算出した空間周波数の分布に基づいて、画像Ｐ１１を空間周波数が高い部分と低い部分とに領域分割する。また、輪郭補正部１３は、領域分割した画像Ｐ１１について、重み付け情報を生成する。この重み付け情報とは、画像Ｐ１１の空間周波数の分布に基づく重み付けを示す情報である。例えば、重み付け情報とは、画像Ｐ１１のうち、空間周波数が最も高い領域を重み０に、空間周波数が最も低い領域を重み１に正規化された重み付けを示す情報である。また、輪郭補正部１３は、生成した重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、画像Ｐ１１のうち空間周波数が低い領域のエッジ画像ＰＥの幅が、空間周波数が高い領域のエッジ画像ＰＥの幅よりも広く補正された、補正後のエッジ画像ＰＥを表示する。すなわち、第２表示部１２は、画像Ｐ１１のうち、空間周波数が高い領域から低い領域に向かって徐々に幅が広くなるように補正された補正後のエッジ画像ＰＥを表示する。
【００５３】
なお、画像Ｐ１１の空間周波数が高い部分よりも低い部分について精細感が要求される場合には、輪郭補正部１３は、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００５４】
なお、ここでは、輪郭補正部１３が画像領域を分割する構成について説明したが、これに限られない。例えば、画像Ｐ１１は、格子状に予め領域分割されていてもよい。すなわち、輪郭補正部１３は、格子状に予め領域分割されている画像領域のそれぞれについて、空間周波数を求めてもよい。
【００５５】
また、複数の表示対象ＯＢＪがある場合に、これらの表示対象ＯＢＪごとに予め領域分割されていてもよい。すなわち、輪郭補正部１３は、複数の表示対象ＯＢＪがある場合に、これらの表示対象ＯＢＪごとに予め領域分割されている画像領域のそれぞれについて、空間周波数を求めてもよい。
【００５６】
また、画像Ｐ１１の精細感が要求されない部分の一例として、画像Ｐ１１のうち画素の明るさが暗い部分がある。この場合には、輪郭補正部１３は、画像Ｐ１１のうち、画素の明るさが明るい部分と、暗い部分とについてそれぞれエッジ画像ＰＥの幅が相違するようにエッジ画像ＰＥを補正する。以下、輪郭補正部１３が、画像Ｐ１１内の画素の明るさの分布に基づいて画像Ｐ１２の鮮鋭度を補正する場合について説明する。すなわち、画像Ｐ１１に関する情報が、第１画像Ｐ１１内の明るさの分布を示す情報である場合について説明する。
【００５７】
この場合、輪郭補正部１３は、供給される画像Ｐ１１について、画素の明るさを画素ごとに抽出し、抽出した画素ごとの明るさに基づいて、画像Ｐ１１の画素の明るさの分布を算出する。ここで、輪郭補正部１３は、画像Ｐ１１のある領域内に含まれる画素の明るさの平均値を、画像Ｐ１１の領域ごとに算出することにより、画像Ｐ１１の画素の明るさの分布を算出する。この画像Ｐ１１の領域とは、例えば、格子状に予め区切られた領域や、画像Ｐ１１が表示する表示対象ＯＢＪの形状に基づいて区切られた領域である。また、輪郭補正部１３は、複数の領域に分割された画像Ｐ１１について、重み付け情報を生成する。この重み付け情報とは、画像Ｐ１１内の画素の明るさの分布に基づく重み付けを示す情報である。例えば、重み付け情報とは、画像Ｐ１１内の領域のうち、平均の明るさが最も明るい領域を重み０に、平均の明るさが最も暗い領域を重み１に正規化された重み付けを示す情報である。また、輪郭補正部１３は、生成した重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、画像Ｐ１１内の領域のうち、平均の明るさが暗い領域のエッジ画像ＰＥの幅が、平均の明るさが明るい領域のエッジ画像ＰＥの幅よりも広く補正された、補正後のエッジ画像ＰＥを表示する。すなわち、第２表示部１２は、画像Ｐ１１内の領域のうち、平均の明るさが明るい領域から暗い領域に向かって徐々に幅が広くなるように補正された補正後のエッジ画像ＰＥを表示する。
【００５８】
なお、画像Ｐ１１のうち画素の明るさが暗い部分について精細感が要求される場合には、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００５９】
また、画像Ｐ１１の精細感が要求されない部分の一例として、画像Ｐ１１のうち鮮鋭度が高い部分がある。この場合には、輪郭補正部１３は、画像Ｐ１１のうち、鮮鋭度が高い部分と、低い部分とについてそれぞれエッジ画像ＰＥの幅が相違するようにエッジ画像ＰＥを補正する。以下、輪郭補正部１３が、画像Ｐ１１内の画像の鮮鋭度の分布に基づいて画像Ｐ１２の鮮鋭度を補正する場合について説明する。すなわち、画像Ｐ１１に関する情報が、画像Ｐ１１内の鮮鋭度の分布を示す情報である場合について説明する。
【００６０】
この場合、輪郭補正部１３は、供給される画像Ｐ１１の各領域について画像の鮮鋭度を算出する。この画像Ｐ１１の領域とは、例えば、格子状に予め区切られた領域や、画像Ｐ１１が表示する表示対象ＯＢＪの形状に基づいて区切られた領域である。また、輪郭補正部１３は、複数の領域に分割された画像Ｐ１１について、重み付け情報を生成する。この重み付け情報とは、画像Ｐ１１内の鮮鋭度の分布に基づく重み付けを示す情報である。例えば、重み付け情報とは、画像Ｐ１１内の領域のうち、平均の鮮鋭度が最も高い領域を重み０に、平均の鮮鋭度が最も低い領域を重み１に正規化された重み付けを示す情報である。また、輪郭補正部１３は、生成した重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、画像Ｐ１１内の領域のうち、平均の鮮鋭度が低い領域のエッジ画像ＰＥの幅が、平均の鮮鋭度が高い領域のエッジ画像ＰＥの幅よりも広く補正された、補正後のエッジ画像ＰＥを表示する。すなわち、第２表示部１２は、画像Ｐ１１内の領域のうち、平均の鮮鋭度が高い領域から低い領域に向かって徐々に幅が広くなるように補正された補正後のエッジ画像ＰＥを表示する。
【００６１】
なお、画像Ｐ１１のうち鮮鋭度が低い部分について精細感が要求される場合には、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００６２】
また、画像Ｐ１１の精細感が要求されない部分の一例として、画像Ｐ１１の立体像の表面の凹凸が単純な部分がある。この場合には、輪郭補正部１３は、画像Ｐ１１の立体像の表面の凹凸が複雑な部分と、単純な部分とについてそれぞれエッジ画像ＰＥの幅が相違するようにエッジ画像ＰＥを補正する。以下、輪郭補正部１３が、画像Ｐ１１の立体像のデプスマップの変化の細かさに基づいて画像Ｐ１２の鮮鋭度を補正する場合について説明する。すなわち、画像Ｐ１１に関する情報が、画像Ｐ１２によって生じる画像Ｐ１１の立体像の奥行き位置の変化の程度を示す情報である場合について説明する。
【００６３】
ここで、画像Ｐ１２によって生じる画像Ｐ１１の立体像には、奥行き位置の変化の程度が大きい領域と、奥行き位置の変化の程度が小さい領域とがある。ここで、立体像の表面の凹凸が複雑であれば、奥行き位置の変化の程度が大きく、立体像の表面の凹凸が単純であれば、奥行き位置の変化の程度が小さい。例えば、画像Ｐ１１の立体像が人形の形状である場合に、人形の顔の部分は凹凸が複雑であるため、奥行き位置の変化の程度が大きく、人形の体幹の部分は凹凸が単純であるため、奥行き位置の変化の程度が小さい。輪郭補正部１３は、供給される画像Ｐ１１の各領域について立体像の奥行き位置の変化の程度を算出し、領域ごとに算出した立体像の奥行き位置の変化の程度に基づいて、重み付け情報を生成する。この重み付け情報とは、奥行き位置の変化の程度に基づく重み付けを示す情報である。例えば、重み付け情報とは、画像Ｐ１１の立体像の領域のうち、奥行き位置の変化の程度が最も大きい領域を重み０に、奥行き位置の変化の程度が最も小さい領域を重み１に正規化された重み付けを示す情報である。また、輪郭補正部１３は、生成した重み付け情報に基づいて、エッジ画像ＰＥの鮮鋭度を補正する。具体的には、輪郭補正部１３は、画像Ｐ１１に対応するエッジ画像ＰＥに対して、重み付け情報が示す重みが大きいほど幅を広くする補正を行う。より具体的には、輪郭補正部１３は、画像Ｐ１１に対応するエッジ画像ＰＥに対して、重み０〜１の部分のエッジ画像ＰＥの幅を、例えば、それぞれ１倍〜１０倍にする補正を行う。これにより、第２表示部１２は、表示対象ＯＢＪの立体像について、立体像の表面の凹凸が単純である領域を表示するためのエッジ画像ＰＥの幅が、立体像の表面の凹凸が複雑である領域を表示するためのエッジ画像ＰＥの幅よりも広く補正された、補正後のエッジ画像ＰＥを表示する。すなわち、第２表示部１２は、表示対象ＯＢＪの立体像の表面の凹凸について、複雑な領域から単純な領域に向かって徐々に幅が広くなるように補正された補正後のエッジ画像ＰＥを表示する。
【００６４】
なお、画像Ｐ１１の立体像の表面の凹凸が単純な部分について精細感が要求される場合には、輪郭補正部１３は、画像Ｐ１１に対応するエッジ画像ＰＥに対して、重み付け情報が示す重みが小さいほど幅を広くする補正を行ってもよい。このように構成しても、表示装置１００は、画像Ｐ１１とエッジ画像ＰＥとの位置合わせのための演算量を低減することができる。
【００６５】
このようにして、表示装置１００は、表示対象ＯＢＪの画像を含む画像Ｐ１１と、その表示対象ＯＢＪの輪郭部を示すエッジ画像ＰＥとを重ねて表示する。これにより、ユーザ１が観察する表示対象ＯＢＪに立体感を与えることができる。つまり、ユーザ１は、画像Ｐ１２と、その表示対象ＯＢＪの輪郭部を示す輪郭画像とを重ねて見た場合、表示対象ＯＢＪがＺ軸方向に飛び出すような立体像を知覚する。この表示装置１００が表示する画像によってユーザ１に立体感を与える仕組みについて、図７〜図１２を参照して説明する。
【００６６】
図７は、本実施形態の画像Ｐ１１（第１画像）の一例を示す模式図である。ここでは一例として、表示対象ＯＢＪが四角形である場合について、以下説明する。第１表示面１１Ｓは、表示対象ＯＢＪとしての四角形の画像と、背景画像ＢＧＰとを表示する。この四角形とは、等しい長さの４辺が各頂点においてそれぞれ直角に交わる図形である。この四角形は、四角形の外部と内部とを分ける輪郭線としての４辺を有している。この四角形を見る観察者は、四角形の外部と内部との明るさの差が大きい場合に、この輪郭線を、四角形のエッジ部分Ｅであると知覚する。つまり、エッジ部分Ｅとは、表示対象ＯＢＪのうち、周囲の明るさの差が他の部分の明るさの差に比して相対的に大きい部分である。四角形の場合、各辺がエッジ部分Ｅになりうるが、ここでは、各エッジ部分Ｅのうち、四角形のＹ軸方向に平行な２辺を、それぞれエッジ部分Ｅ１およびエッジ部分Ｅ２として説明する。
【００６７】
次に、図８を参照して、この四角形に対応する画像Ｐ１２の一例について説明する。
図８は、本実施形態の画像Ｐ１２（第２画像）の一例を示す模式図である。上述したように表示対象ＯＢＪが四角形である場合、画像Ｐ１２とは、四角形の左辺のエッジ部分Ｅ１を示すエッジ画像ＰＥ１、および四角形の右辺のエッジ部分Ｅ２を示すエッジ画像ＰＥ２を含む画像である。
【００６８】
すなわち、表示対象ＯＢＪが四角形である場合、第２表示面１２Ｓは、そのエッジ部分Ｅ１およびエッジ部分Ｅ２にそれぞれ対応するエッジ画像ＰＥ１およびエッジ画像ＰＥ２を含む画像Ｐ１２を表示する。
【００６９】
なお、ここでは一例として、エッジ画像ＰＥとは、四角形の左辺および右辺のエッジ部分を示す画像であるとして説明するが、これに限られない。例えば、エッジ画像ＰＥとは、四角形の上辺および下辺のエッジ部分を示す画像であってもよく、また四角形のすべての各辺のエッジ部分を示す画像であってもよい。
【００７０】
次に、図９を参照して、表示対象ＯＢＪとしての四角形の位置と、エッジ画像ＰＥ１およびエッジ画像ＰＥ２を含む画像Ｐ１２の位置と、観察者の視点位置ＶＰとの位置関係について説明する。
【００７１】
図９は、本実施形態における画像Ｐ１１と画像Ｐ１２と視点位置ＶＰとの位置関係の一例を示す模式図である。観察者は、奥行き位置ＺＶＰにある視点位置ＶＰから、奥行き位置Ｚ２にある画像Ｐ１２と、奥行き位置Ｚ１にある画像Ｐ１１とを重ねて見る。この画像Ｐ１２とは、上述したように、エッジ画像ＰＥ１と、エッジ画像ＰＥ２とを含む画像である。
【００７２】
第２表示面１２Ｓは、第１表示面１１Ｓが表示する四角形のエッジ部分Ｅ１と、画像Ｐ１２のエッジ画像ＰＥ１とが視点位置ＶＰにおいて重なって見えるように、画像Ｐ１２を表示する。具体的には、第２表示面１２Ｓは、四角形のエッジ部分Ｅ１に対応するエッジ画像ＰＥ１を、Ｘ方向の位置Ｘ１から位置Ｘ２の範囲に表示する。また、第２表示面１２Ｓは、第１表示面１１Ｓが表示する四角形のエッジ部分Ｅ２と、画像Ｐ１２のエッジ画像ＰＥ２とが視点位置ＶＰにおいて重なって見えるように、画像Ｐ１２を表示する。具体的には、第２表示面１２Ｓは、四角形のエッジ部分Ｅ２に対応するエッジ画像ＰＥ２を、Ｘ方向の位置Ｘ５から位置Ｘ６の範囲に表示する。このようにして表示される画像Ｐ１２と、表示対象ＯＢＪ（例えば、四角形）を示す画像Ｐ１１とを、観察者が重ねて見ると、観察者の網膜像上において認識できないくらいの微小な輝度の段差ができる。このような場合においては、明るさ（例えば、輝度）の段差間に仮想的な輪郭（エッジ）を知覚して、画像Ｐ１２と画像Ｐ１１とを１つの画像として知覚する。このとき、左眼Ｌが見る光学像ＩＭＬと、右眼Ｒが見る光学像ＩＭＲとには両眼視差が生ずるため、この仮想的な輪郭にも少しだけずれが生じて両眼視差として知覚して、画像Ｐ１１の見かけの奥行き位置が変化する。以下、この左眼Ｌが見る光学像ＩＭＬ、右眼Ｒが見る光学像ＩＭＲの順に説明し、あわせて表示対象ＯＢＪの見かけの奥行き位置が変化する仕組みについて説明する。
【００７３】
図１０は、本実施形態における観察者の眼に見える光学像ＩＭの一例を示す模式図である。このうち、図１０（Ｌ）は、観察者の左眼Ｌに見える光学像ＩＭＬの一例を示す模式図である。同図に示すように、奥行き位置ＺＶＰにある視点位置ＶＰの左眼Ｌの位置において、画像Ｐ１１と画像Ｐ１２とを重ねて見ると、エッジ画像ＰＥ１が四角形のエッジ部分Ｅ１の外側（−Ｘ方向）に見える。また、奥行き位置ＺＶＰにある視点位置ＶＰの左眼Ｌの位置において、画像Ｐ１１と画像Ｐ１２とを重ねて見ると、エッジ画像ＰＥ２とエッジ部分Ｅ２とが、位置Ｘ５〜位置Ｘ６の範囲において重なって見える。すなわち、エッジ画像ＰＥ２が四角形のエッジ部分Ｅ２の内側（−Ｘ方向）に、四角形と重なって見える。
【００７４】
このとき、観察者の左眼Ｌの位置における光学像の明るさについて、図１１を参照して説明する。
図１１は、本実施形態の視点位置ＶＰにおける光学像ＩＭの明るさの一例を示すグラフである。このうち、図１１（Ｌ）は、視点位置ＶＰの左眼Ｌの位置における光学像ＩＭＬの明るさの一例を示すグラフである。
【００７５】
ここで、表示対象ＯＢＪ（ここでは、四角形）の明るさと、背景画像ＢＧＰの明るさとが相違する（例えば、明るさの比が大きい）場合について説明する。ここでは、表示対象ＯＢＪの明るさが、明るさＢＲ２であり、背景画像ＢＧＰの明るさが、明るさ０（ゼロ）である。この明るさＢＲ２は、明るさ０（ゼロ）よりも明るい。すなわち、表示対象ＯＢＪの明るさが背景画像ＢＧＰの明るさよりも明るい場合について、以下説明する。
【００７６】
視点位置ＶＰの左眼Ｌの位置においては、左眼Ｌの位置から画像Ｐ１１を見た場合の画像Ｐ１１Ｌと、画像Ｐ１２とが重なるようにして見える。この画像Ｐ１１Ｌには、表示対象ＯＢＪである四角形と、背景画像ＢＧＰとが含まれる。また、画像Ｐ１２には、エッジ画像ＰＥ１と、エッジ画像ＰＥ２とが含まれる。
【００７７】
このとき、視点位置ＶＰから見るユーザ１の左眼Ｌには、画像Ｐ１１Ｌ内の表示対象ＯＢＪおよび背景画像ＢＧＰの明るさと、画像Ｐ１２内のエッジ画像ＰＥ１およびエッジ画像ＰＥ２の明るさとが合成された明るさの光学像ＩＭＬが生じる。ここで、画像Ｐ１１Ｌの明るさ、および画像Ｐ１２の明るさの具体例について説明する。視点位置ＶＰから見た画像Ｐ１１Ｌの四角形の内部の明るさは、明るさＢＲ２である。また、視点位置ＶＰから見た画像Ｐ１１Ｌの四角形の外部の明るさは、明るさ０（ゼロ）である。ここで、左眼Ｌの位置から四角形のエッジ部分Ｅ１を見た場合に、エッジ部分Ｅ１の奥行き位置Ｚ２における見た目の位置は、位置Ｘ２である。また、左眼Ｌの位置から四角形のエッジ部分Ｅ２を見た場合に、エッジ部分Ｅ２の奥行き位置Ｚ２における見た目の位置は、位置Ｘ６である。したがって、画像Ｐ１１Ｌの視点位置ＶＰから見た明るさは、位置Ｘ２〜位置Ｘ６において明るさＢＲ２であり、位置Ｘ２から（−Ｘ）方向、および位置Ｘ６から（＋Ｘ）方向の位置において明るさ０（ゼロ）である。
【００７８】
また、画像Ｐ１２のエッジ画像ＰＥ１の視点位置ＶＰから見た明るさは、明るさＢＲ１である。同様に、画像Ｐ１２のエッジ画像ＰＥ２の視点位置ＶＰから見た明るさは、明るさＢＲ１である。このエッジ画像ＰＥ１は、位置Ｘ１〜位置Ｘ２の範囲に表示される。また、エッジ画像ＰＥ２は、位置Ｘ５〜位置Ｘ６の範囲に表示される。したがって、画像Ｐ１２の視点位置ＶＰから見た明るさは、位置Ｘ１〜Ｘ２および位置Ｘ５〜位置Ｘ６において明るさＢＲ１であり、その他のＸ方向の位置において明るさ０（ゼロ）である。
【００７９】
したがって、画像Ｐ１１Ｌと画像Ｐ１２とを視点位置ＶＰにおいて重ねて見た場合、その光学像ＩＭＬの明るさは、次に説明するようになる。すなわち光学像ＩＭＬの明るさは、位置Ｘ１〜位置Ｘ２が明るさＢＲ１、位置Ｘ２〜位置Ｘ５が明るさＢＲ２、位置Ｘ５〜位置Ｘ６が明るさＢＲ３、位置Ｘ１から（−Ｘ）方向、および位置Ｘ６から（＋Ｘ）方向の位置において明るさ０（ゼロ）である。
【００８０】
次に、光学像ＩＭＬを見た観察者が画像Ｐ１１Ｌの輪郭部を知覚する仕組みについて説明する。
図１２は、本実施形態における観察者が光学像ＩＭに基づいて知覚する画像Ｐ１１の輪郭部の一例を示すグラフである。このうち、図１２（Ｌ）は、観察者の左眼Ｌの位置における光学像ＩＭＬに基づいて、観察者が知覚する画像Ｐ１１Ｌの輪郭部の一例を示すグラフである。ここで、画像Ｐ１１Ｌの輪郭部とは、画像Ｐ１１Ｌを示す光学像の部分のうち、明るさの変化が周囲の部分の明るさの変化に比して大きい部分である。視点位置ＶＰにいる観察者の左眼Ｌの網膜上に結像された光学像ＩＭＬによって、観察者に認識される画像の明るさの分布は、図１２（Ｌ）の波形ＷＬのようになる。このとき、観察者は、認識した光学像ＩＭＬの明るさの変化が最大になる（つまり、波形ＷＬの傾きが最大になる）Ｘ軸上の位置を、観察している画像Ｐ１１Ｌの輪郭部であると知覚する。具体的には、光学像ＩＭＬを観察している観察者は、図１２（Ｌ）に示すＸＥＬの位置（つまり、Ｘ軸の原点Ｏから距離ＬＥＬの位置）を四角形の輪郭部であると知覚する。
【００８１】
ここまで、観察者の左眼Ｌに見える光学像ＩＭＬと、光学像ＩＭＬによる輪郭部の位置とについて説明した。次に、観察者の右眼Ｒに見える光学像ＩＭＲと、光学像ＩＭＲによる輪郭部の位置とについて説明する。
【００８２】
図１０（Ｒ）に示すように、奥行き位置ＺＶＰにある視点位置ＶＰの右眼Ｒの位置において、画像Ｐ１１Ｒと画像Ｐ１２とを見ると、エッジ画像ＰＥ２が四角形のエッジ部分Ｅ２の外側（＋Ｘ方向）に見える。ここで、画像Ｐ１１Ｒとは、右眼Ｒの位置から画像Ｐ１１を見た場合の画像である。また、奥行き位置ＺＶＰにある視点位置ＶＰの右眼Ｒの位置において、画像Ｐ１１Ｒと画像Ｐ１２とを見ると、エッジ画像ＰＥ１とエッジ部分Ｅ１とが、位置Ｘ１〜位置Ｘ２の範囲において重なって見える。すなわち、エッジ画像ＰＥ１が四角形のエッジ部分Ｅ１の内側（＋Ｘ方向）に、四角形と重なって見える。これは、観察者の左眼Ｌには、エッジ画像ＰＥ２とエッジ部分Ｅ２とが、エッジ部分Ｅ２よりも四角形の内側（−Ｘ方向）の位置において重なって見えることと相違する。
【００８３】
視点位置ＶＰの右眼Ｒの位置においては、画像Ｐ１１Ｒと、画像Ｐ１２とが重なるようにして見える。この画像Ｐ１１Ｒには、表示対象ＯＢＪである四角形が含まれる。このとき、観察者の右眼Ｒの位置における光学像の明るさについて、図１１（Ｒ）を参照して説明する。
【００８４】
図１１（Ｒ）は、視点位置ＶＰの右眼Ｒの位置における光学像ＩＭＲの明るさの一例を示すグラフである。視点位置ＶＰから見るユーザ１の右眼Ｒには、画像Ｐ１１Ｒ内の表示対象ＯＢＪおよび背景画像ＢＧＰの明るさと、画像Ｐ１２内のエッジ画像ＰＥ１およびエッジ画像ＰＥ２の明るさとが合成された明るさの光学像ＩＭＲが生じる。ここで、画像Ｐ１１Ｒの明るさ、および画像Ｐ１２の明るさの具体例について説明する。視点位置ＶＰから見た画像Ｐ１１Ｒの四角形の内部の明るさは、明るさＢＲ２である。また、視点位置ＶＰから見た画像Ｐ１１Ｒの四角形の外部の明るさは、明るさ０（ゼロ）である。ここで、右眼Ｒの位置から四角形のエッジ部分Ｅ１を見た場合に、エッジ部分Ｅ１の奥行き位置Ｚ２における見た目の位置は、位置Ｘ１である。また、右眼Ｒの位置から四角形のエッジ部分Ｅ２を見た場合に、エッジ部分Ｅ２の奥行き位置Ｚ２における見た目の位置は、位置Ｘ５である。したがって、視点位置ＶＰから見た画像Ｐ１１Ｒの明るさは、位置Ｘ１〜位置Ｘ５において明るさＢＲ２であり、位置Ｘ１から（−Ｘ）方向、および位置Ｘ５から（＋Ｘ）方向の位置において明るさ０（ゼロ）である。これは、画像Ｐ１１Ｌの視点位置ＶＰから見た明るさが、位置Ｘ２〜位置Ｘ６において明るさＢＲ２であり、位置Ｘ２から（−Ｘ）方向、および位置Ｘ６から（＋Ｘ）方向の位置において明るさ０（ゼロ）であることと相違する。
【００８５】
また、視点位置ＶＰから見たエッジ画像ＰＥ１の明るさは、明るさＢＲ１である。同様に、視点位置ＶＰから見たエッジ画像ＰＥ２の明るさは、明るさＢＲ１である。このエッジ画像ＰＥ１は、位置Ｘ１〜位置Ｘ２の範囲において、四角形のエッジ部分Ｅ１と重なるように表示される。また、エッジ画像ＰＥ２は、位置Ｘ５〜位置Ｘ６の範囲に表示される。すなわち、画像Ｐ１２の視点位置ＶＰから見た明るさは、位置Ｘ１〜Ｘ２および位置Ｘ５〜位置Ｘ６において明るさＢＲ１であり、その他のＸ方向の位置において明るさ０（ゼロ）である。
【００８６】
したがって、画像Ｐ１１Ｒと画像Ｐ１２とを視点位置ＶＰにおいて重ねて見た場合、その光学像ＩＭＲの明るさは、次に説明するようになる。すなわち光学像ＩＭＲの明るさは、位置Ｘ１〜位置Ｘ２が明るさＢＲ３、位置Ｘ２〜位置Ｘ５が明るさＢＲ２、位置Ｘ５〜位置Ｘ６が明るさＢＲ１、位置Ｘ１から（−Ｘ）方向、および位置Ｘ６から（＋Ｘ）方向の位置において明るさ０（ゼロ）である。これは、光学像ＩＭＬの明るさが、位置Ｘ１〜位置Ｘ２が明るさＢＲ１、位置Ｘ２〜位置Ｘ５が明るさＢＲ２、位置Ｘ５〜位置Ｘ６が明るさＢＲ３であることと相違する。
【００８７】
次に、光学像ＩＭＲを見た観察者が、画像Ｐ１１Ｒの輪郭部を知覚する仕組みについて説明する。図１２（Ｒ）は、観察者の右眼Ｒの位置における光学像ＩＭＲに基づいて、観察者が知覚する画像Ｐ１１Ｒの輪郭部の一例を示すグラフである。視点位置ＶＰにいる観察者の右眼Ｒの網膜上に結像された光学像ＩＭＲによって、観察者に認識される画像の明るさの分布は、図１２（Ｒ）の波形ＷＲのようになる。このとき、観察者は、認識した光学像ＩＭＲの明るさの変化が最大になる（つまり、波形ＷＲの傾きが最大になる）Ｘ軸上の位置を、観察している画像Ｐ１１Ｒの輪郭部であると知覚する。具体的には、光学像ＩＭＲを観察している観察者は、図１２（Ｒ）に示すＸＥＲの位置（つまり、Ｘ軸の原点Ｏから距離ＬＥＲの位置）を四角形の輪郭部であると知覚する。これは、光学像ＩＭＬを観察している観察者は、Ｘ軸の原点Ｏから距離ＬＥＬの位置を四角形の輪郭部であると知覚することと相違する。
【００８８】
これにより、観察者は、左眼Ｌが観察する四角形の輪郭部の位置ＸＥＬと、右眼Ｒが観察する四角形の輪郭部の位置ＸＥＲとを両眼視差として知覚する。そして、観察者は、輪郭部の両眼視差に基づいて四角形を立体像ＳＩ（３次元画像）として知覚する。
【００８９】
次に、この輪郭補正部１３がエッジ画像ＰＥの画素値を補正する動作の具体例について、図１３を参照して説明する。ここでは、一例として、第１表示部１１が表示する画像Ｐ１１の中心からの距離に基づいて、輪郭補正部１３が画像Ｐ１２の鮮鋭度を補正する場合の具体例について説明する。
【００９０】
図１３は、本実施形態の表示装置１００における画素値の補正動作の一例を示すフローチャートである。輪郭補正部１３は、画像情報供給装置２から供給される画像情報Ｄ１１と画像情報Ｄ１２とを取得する（ステップＳ１０）。この画像情報Ｄ１１には、エッジ画像ＰＥを補正するための重み付け情報が含まれている。ここで、重み付け情報とは、第１表示面１１Ｓの中心を重み０に、第１表示面１１Ｓの頂点を重み１にして同心円状に正規化された重み付けを示す情報である。
【００９１】
次に、輪郭補正部１３は、ステップＳ１０において取得した画像情報Ｄ１１から、重み付け情報を抽出する（ステップＳ２０）。
【００９２】
次に、輪郭補正部１３は、ステップＳ３０において抽出した重み付け情報に基づいて、ステップＳ１０において取得した画像情報Ｄ１２が示す表示対象ＯＢＪの輪郭部の画像の画素値を補正して補正画像情報Ｄ１２Ｃを生成する（ステップＳ３０）。
【００９３】
次に、輪郭補正部１３は、ステップＳ３０において生成した補正画像情報Ｄ１２Ｃを第２表示部１２に出力する（ステップＳ４０）。
【００９４】
第２表示部１２の第２表示面１２Ｓは、このようにして輪郭補正部１３によって補正された補正画像情報Ｄ１２Ｃに基づく画像を表示する。また、第１表示部１１の第１表示面１１Ｓは、画像情報Ｄ１１に基づく画像を表示する。このようにして、表示装置１００は、表示対象ＯＢＪの立体像ＳＩを表示する。
【００９５】
以上、説明したように、本実施形態の表示装置１００は、第１表示部１１と、第２表示部１２と、輪郭補正部１３とを備えている。この輪郭補正部１３を備えることにより、表示装置１００は、エッジ画像ＰＥを補正するための演算量を低減することができる。
【００９６】
なお、これまでの説明において、エッジ画像ＰＥは、画像情報供給装置２から供給される画像情報Ｄ１２に含まれているものとして説明したが、これに限られない。例えば、輪郭補正部１３は、画像情報供給装置２から供給される画像情報Ｄ１１に基づいて、エッジ画像ＰＥを生成してもよい。例えば、輪郭補正部１３は、既知の微分フィルタ（例えば、ラプラシアンフィルタ）を画像情報Ｄ１１に施すことによって表示対象ＯＢＪの輪郭部の画像をエッジ画像として抽出する。また、輪郭補正部１３は、図１４に示すようなバンドパスフィルタによってエッジ画像ＰＥを生成することもできる。
【００９７】
図１４は、本実施形態の画像Ｐ１１の単位領域ごとの空間周波数ｆの出現頻度の一例を示すグラフである。単位領域ごとに、この単位領域内の画素値の空間周波数ｆを求め、求めた空間周波数ｆの出現頻度をグラフ化すると、例えば、図１４に示す波形ＷＦのようになる。この単位領域とは、例えば、Ｘ軸方向に５画素、Ｙ軸方向に５画素の２５画素からなる領域である。ここで、画像Ｐ１１が示す表示対象ＯＢＪの輪郭部について、単位領域ごとに空間周波数ｆを求めると、求めた空間周波数ｆが、例えば、空間周波数ｆ１から空間周波数ｆ２までの間に分布する場合がある。すなわち、画像Ｐ１１の空間周波数ｆの出現頻度を求めることにより、表示対象ＯＢＪの輪郭部を抽出できる場合がある。この例の場合には、輪郭補正部１３は、画像Ｐ１１の空間周波数ｆの出現頻度を求め、求めた空間周波数ｆの出現頻度に対して空間周波数ｆ１から空間周波数ｆ２の間を抽出するバンドパスフィルタを適用することにより、この空間周波数ｆの範囲に含まれる画像を、エッジ画像ＰＥとして抽出する。このように構成することによっても、輪郭補正部１３は、画像Ｐ１１に基づいて、エッジ画像ＰＥを生成することができる。
【００９８】
なお、輪郭補正部１３は、エッジ画像ＰＥの画素値を補正するものとして説明したがこれに限られない。輪郭補正部１３は、エッジ画像ＰＥの画素値を補正するだけでなく、表示対象ＯＢＪの輪郭部の画素値を補正してもよい。
【００９９】
また、表示装置１００の輪郭補正部１３が補正するエッジ画像ＰＥとは、エッジ画像ＰＥを構成する画素のＲＧＢ各色の階調値、彩度、もしくは色度のいずれか、または、これらの組み合わせが含まれる。
【０１００】
なお、ここまでの説明において、表示装置１００は、第１表示面１１Ｓが表示対象ＯＢＪの画像と背景画像ＢＧＰとを表示し、第２表示面１２Ｓがエッジ画像ＰＥを表示する構成について説明したが、これに限られない。例えば、第１表示面１１Ｓがエッジ画像ＰＥを表示し、第２表示面１２Ｓが表示対象ＯＢＪの画像と背景画像ＢＧＰとを表示する構成であってもよい。すなわち、表示装置１００において、表示対象ＯＢＪの画像の奥行き位置と、エッジ画像ＰＥの奥行き位置とのいずれが手前であってもよい。また、表示対象ＯＢＪの画像と背景画像ＢＧＰとが必ずしも同じ表示面に表示されていなくてもよい。例えば、第１表示面１１Ｓが表示対象ＯＢＪの画像を表示し、第２表示面１２Ｓが背景画像ＢＧＰとエッジ画像ＰＥとを表示する構成であってもよい。上述のいずれの構成であっても、エッジ画像ＰＥの補正を行うための演算量を低減することができる。
【０１０１】
また、表示装置１００は、背景画像ＢＧＰの奥行き位置を、表示対象ＯＢＪの画像の奥行き位置よりも手前側にして各画像を表示することにより、表示対象ＯＢＪの立体像ＳＩに奥行き感を与えることができる。この場合において、エッジ画像ＰＥは第１表示面１１Ｓが表示してもよく、第２表示面１２Ｓが表示してもよい。例えば、廊下の画像を表示する場合において、廊下の最も奥にある（例えば、廊下の突き当たりにある）壁の画像を表示対象ＯＢＪの画像にし、天井、床および左右の壁の画像を背景画像ＢＧＰにして表示することができる。この場合、第１表示面１１Ｓは、背景画像ＢＧＰとしての天井、床および左右の壁の画像を、第２表示面１２Ｓは表示対象ＯＢＪの画像としての廊下の最も奥にある（例えば、廊下の突き当たりにある）壁の画像を、それぞれ表示する。表示装置１００は、このように廊下の画像を表示することにより、廊下の最も奥にある（例えば、廊下の突き当たりにある）壁の画像の立体像ＳＩに奥行き感を与えることができる。
【０１０２】
また、第１表示面１１Ｓに表示される画像Ｐ１１とは、虚像であってもよい。例えば、画像Ｐ１１とは、第１表示面１１Ｓがヘッドマウントディスプレイである場合において、このヘッドマウントディスプレイが表示する虚像であってもよい。この場合には、表示装置１００は、第２表示面１２Ｓに表示される画像Ｐ１２と、このヘッドマウントディスプレイが表示する画像Ｐ１１としての虚像とを重ねて表示することにより、このヘッドマウントディスプレイを装着する観察者Ｕに対して、立体感のある画像を表示する。
また、第２表示面１２Ｓに表示される画像Ｐ１２とは、虚像であってもよい。例えば、画像Ｐ１２とは、第２表示面１２Ｓがヘッドマウントディスプレイである場合において、このヘッドマウントディスプレイが表示する虚像であってもよい。この場合には、表示装置１００は、第１表示面１１Ｓに表示される画像Ｐ１１と、このヘッドマウントディスプレイが表示する画像Ｐ１２としての虚像とを重ねて表示することにより、このヘッドマウントディスプレイを装着する観察者Ｕに対して、立体感のある画像を表示する。
また、第１表示面１１Ｓに表示される画像Ｐ１１と第２表示面１２Ｓに表示される画像Ｐ１２とは共に虚像であってもよい。
【０１０３】
また、第１表示面１１Ｓに表示される画像Ｐ１１と、第２表示面１２Ｓに表示される画像Ｐ１２とは、奥行き方向に所定の間隔をあけて表示される。この所定の間隔とは、観察者Ｕの眼の焦点が合う範囲に調整することが望ましい。
【０１０４】
また、第１表示面１１Ｓの奥行き位置が第２表示面１２Ｓの奥行き位置よりも手前にある場合において、第１表示面１１Ｓに表示される画像Ｐ１１は、第２表示面１２Ｓに表示される画像Ｐ１２の大きさよりも小さくして表示することが好ましい。また、第１表示面１１Ｓがヘッドマウントディスプレイである場合において虚像を表示する場合には、このヘッドマウントディスプレイに表示される画像Ｐ１１の大きさを、画像Ｐ１２の大きさよりも小さくして表示することが好ましい。また、第２表示面１２Ｓがヘッドマウントディスプレイである場合において虚像を表示する場合には、このヘッドマウントディスプレイに表示される画像Ｐ１２の大きさを、画像Ｐ１１の大きさよりも小さくして表示することが好ましい。また、表示される虚像の大きさを、画像Ｐ１１の大きさよりも小さくして表示することが好ましい。これにより、表示装置１００は、観察者Ｕに対して表示対象ＯＢＪと、この表示対象ＯＢＪの輪郭部を示すエッジ画像ＰＥとの見かけの大きさを揃えて表示することができる。
【０１０５】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【０１０６】
なお、上記の実施形態における表示装置１００が備える各部は、専用のハードウェアにより実現されるものであってもよく、また、メモリおよびマイクロプロセッサにより実現させるものであってもよい。
【０１０７】
なお、表示装置１００が備える各部は、メモリおよびＣＰＵ（中央演算装置）により構成され、表示装置１００が備える各部の機能を実現するためのプログラムをメモリにロードして実行することによりその機能を実現させるものであってもよい。
【０１０８】
また、表示装置１００が備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【０１０９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１１０】
１１…第１表示部、１２…第２表示部、１３…輪郭補正部、１００…表示装置
【図１】
2014199289.tif 000003
【図２】
2014199289.tif 000004
【図３】
2014199289.tif 000005
【図５】
2014199289.tif 000006
【図６】
2014199289.tif 000007
【図７】
2014199289.tif 000008
【図８】
2014199289.tif 000009
【図９】
2014199289.tif 000010
【図１０】
2014199289.tif 000011
【図１１】
2014199289.tif 000012
【図１２】
2014199289.tif 000013
【図１３】
2014199289.tif 000014
【図１４】
2014199289.tif 000015
【図４】
2014199289.tif 000016